(57)【要約】  本開示は、カードホルダ（２０）、挿入装置（１００）および端末（２００）を提供する。カードホルダ（２０）は、データカード（３００）を装着するように構成され、かつカードトレイ（２１）と、摺動ブロック（２２）と、弾性要素（２３）とを含む。カードトレイ（２１）は、カードスロット（２１１）および摺動溝（２１２）を画定し、カードスロット（２１１）はデータカード（３００）を収容するように構成され、摺動溝（２１２）はカードスロット（２１１）と連通している。摺動ブロック（２２）は、摺動溝（２１２）に沿って摺動することができる。弾性要素（２３）は、摺動ブロック（２２）に結合され、カードトレイ（２１）に固定され、かつ、弾性要素（２３）が変形状態にある場合に摺動ブロック（２２）を押圧して摺動ブロック（２２）をデータカード（３００）に当接させるように構成される。挿入装置（１００）は、カードソケット（１０）とカードホルダ（２０）とを含む。端末（２００）はカードホルダ（２０）を含む。
2020505682.tif 000002
【特許請求の範囲】
【請求項１】
データカード（３００）を装着するように構成されたカードホルダ（２０）であって、
前記データカード（３００）を収容するように構成されたカードスロット（２１１）を画定するカードトレイ（２１）と、前記カードスロット（２１１）と連通する摺動溝（２１２）と、
前記摺動溝（２１２）に沿って摺動可能な摺動ブロック（２２）と、
弾性要素（２３）であって、前記摺動ブロック（２２）に結合され、前記カードトレイ（２１）に固定され、かつ、前記弾性要素（２３）が変形状態にある場合に前記摺動ブロック（２２）を押圧して前記摺動ブロック（２２）を前記データカード（３００）に当接させるように構成された、弾性要素（２３）と
を含む、カードホルダ（２０）。
【請求項２】
前記カードトレイ（２１）が、第１の表面（２１７）と、前記第１の表面（２１７）と反対側の第２の表面（２１８）とをさらに含み、前記カードスロット（２１１）が前記第１の表面（２１７）に画定され、前記摺動溝（２１２）が前記第１の表面（２１７）に画定される、請求項１に記載のカードホルダ（２０）。
【請求項３】
前記カードトレイ（２１）が、第１の表面（２１７）と、前記第１の表面（２１７）と反対側の第２の表面（２１８）とをさらに含み、前記カードスロット（２１１）が、前記第１の表面（２１７）に画定された第１のカードスロット（２１１１）と、前記第２の表面（２１８）に画定された第２のカードスロット（２１１２）とを含み、前記摺動溝（２１２）が前記第１の表面（２１７）に画定され、かつ前記第１のカードスロット（２１１１）を経て前記第２のカードスロット（２１１２）に深さ方向に部分的に貫入し、前記データカード（３００）が前記第１のカードスロット（２１１１）に収容されている場合、または前記データカード（３００）が前記第２のカードスロット（２１１２）に収容されている場合、または前記データカード（３００）が前記第１のカードスロット（２１１１）および前記第２のカードスロット（２１１２）の各々に収容されている場合に、前記摺動ブロック（２２）が前記データカード（３００）に当接することができる、請求項１に記載のカードホルダ（２０）。
【請求項４】
前記カードトレイ（２１）が前記第１のカードスロット（２１１１）と前記第２のカードスロット（２１１２）との間に設けられた仕切り板（２１ａ）をさらに含み、前記仕切り板（２１ａ）が、前記第１のカードスロット（２１１１）に収容された前記データカード（３００）を前記第２のカードスロット（２１１２）に収容された前記データカード（３００）から分離するように構成される、請求項３に記載のカードホルダ（２０）。
【請求項５】
前記カードトレイ（２１）が前記第１の表面（２１７）に画定された固定溝（２１９）をさらに含み、前記固定溝（２１９）が前記摺動溝（２１２）と連通しており、前記弾性要素（２３）が前記固定溝（２１９）に収容され、前記固定溝（２１９）が前記カードスロット（２１１）に隣接する第１の壁（２１９１）と、前記第１の壁（２１９１）と反対側の第２の壁（２１９２）とを含み、前記第２の壁（２１９２）が、前記固定溝（２１９）の２つの端部から前記固定溝（２１９）の中間位置に向かう方向に沿って前記カードスロット（２１１）から次第に離れて延びる、請求項２〜４のいずれか一項に記載のカードホルダ（２０）。
【請求項６】
前記弾性要素（２３）の２つの端部が前記固定溝（２１９）の２つの端部に固定されている、請求項５に記載のカードホルダ（２０）。
【請求項７】
前記弾性要素（２３）が前記固定溝（２１９）の内壁に当接することができる、請求項５に記載のカードホルダ（２０）。
【請求項８】
前記摺動ブロック（２２）が、前記摺動溝（２１２）内で前記弾性要素（２３）の長さ方向に対して垂直な方向に沿って摺動し、前記弾性要素（２３）が前記摺動ブロック（２２）を貫通するか、または前記摺動ブロック（２２）の両側面から外側に延びる、請求項１〜７のいずれか一項に記載のカードホルダ（２０）。
【請求項９】
前記摺動ブロック（２２）が前記弾性要素（２３）の長さ方向の中間位置に位置し、前記摺動溝（２１２）内での前記摺動ブロック（２２）の摺動方向が前記カードスロット（２１１）の中間位置と位置合わせされる、請求項８に記載のカードホルダ（２０）。
【請求項１０】
前記カードトレイ（２１）の端部に結合されたハンドル（２４）をさらに含み、前記摺動溝（２１２）が前記カードスロット（２１１）と前記ハンドル（２４）との間に位置する、請求項１〜９のいずれか一項に記載のカードホルダ（２０）。
【請求項１１】
前記カードトレイ（２１）が全体的に直方体形状を呈し、前記カードスロット（２１１）が端部と端部とが結合された４つの側壁によって画定され、前記側壁が、第１の側壁（２１３）と、第２の側壁（２１４）と、第３の側壁（２１５）と、第４の側壁（２１６）とを含む、請求項１〜１０のいずれか一項に記載のカードホルダ（２０）。
【請求項１２】
前記第１の側壁（２１３）および前記第３の側壁（２１５）が対向し、かつ第２の方向に沿って延び、前記第２の側壁（２１４）および前記第４の側壁（２１６）が対向し、かつ第１の方向に沿って延び、前記第２の側壁（２１４）が、前記第１の側壁（２１３）の第１の端部と前記第３の側壁（２１５）の第１の端部とを結合する一方で、前記第４の側壁（２１６）が、前記第１の側壁（２１３）の第２の端部と前記第３の側壁（２１５）の第２の端部とを結合する、請求項１１に記載のカードホルダ（２０）。
【請求項１３】
前記データカード（３００）が前記カードスロット（２１１）に収容されていない場合、前記摺動ブロック（２２）が前記第１の方向に沿って第１の深さ（Ｄ１）だけ前記カードスロット（２１１）に挿入され、前記データカード（３００）が前記カードスロット（２１１）に収容されている場合、前記摺動ブロック（２２）が前記第１の方向に沿って第２の深さ（Ｄ２）だけ前記カードスロット（２１１）に挿入され、前記第１の深さ（Ｄ１）が前記第２の深さ（Ｄ２）より大きい、請求項１１または１２に記載のカードホルダ（２０）。
【請求項１４】
挿入装置（１００）であって、
収容空間（１２）を画定するカードソケット（１０）と、
前記収容空間（１２）に対して移動可能に挿抜可能な請求項１〜１３のいずれか一項に記載のカードホルダ（２０）と
を含む、挿入装置（１００）。
【請求項１５】
請求項１〜１３のいずれか一項に記載のカードホルダ（２０）を含む、端末（２００）。
【発明の詳細な説明】
【技術分野】
【０００１】
本開示は、電子機器の技術分野に関し、より具体的には、カードホルダ、挿入装置および端末に関する。
【背景技術】
【０００２】
データカードは、通常はカードホルダ上に配置され、データカードを含むカードホルダはその後、カードソケットに配置されてデータカードと電子機器との間の電気的接続を達成する。しかし、カードホルダをカードソケットから取り出した後、データカードとカードホルダとの間の結合は十分に安定せず、データカードはカードホルダから容易に脱落し、カードホルダが裏返される場合に落下する。
【発明の概要】
【発明が解決しようとする課題】
【０００３】
本開示の実施形態は、カードホルダ、挿入装置および端末を提供する。
【課題を解決するための手段】
【０００４】
本開示の実施形態によるカードホルダは、データカードを収容するように構成されたカードスロットを画定するカードトレイと、カードスロットと連通する摺動溝と、摺動溝に沿って摺動可能な摺動ブロックと、摺動ブロックに結合され、カードトレイに固定され、かつ、弾性要素が変形状態にある場合に摺動ブロックを押圧して摺動ブロックをデータカードに当接させるように構成された弾性要素とを含む。
【０００５】
いくつかの実施形態では、カードトレイは、第１の表面と、第１の表面と反対側の第２の表面とをさらに含み、カードスロットは第１の表面に画定され、摺動溝は第１の表面に画定される。
【０００６】
いくつかの実施形態では、カードトレイは、第１の表面と、第１の表面と反対側の第２の表面とをさらに含み、カードスロットは、第１の表面に画定された第１のカードスロットと第２の表面に画定された第２のカードスロットとを含み、摺動溝は第１の表面に画定され、かつ第１のカードスロットを経て第２のカードスロットに深さ方向に部分的に貫入し、データカードが第１のカードスロットに収容されている場合、またはデータカードが第２のカードスロットに収容されている場合、またはデータカードが第１のカードスロットおよび第２のカードスロットの各々に収容されている場合に、摺動ブロックはデータカードに当接することができる。
【０００７】
いくつかの実施形態では、カードトレイは、第１のカードスロットと第２のカードスロットとの間に設けられた仕切り板をさらに含み、仕切り板は、第１のカードスロットに収容されたデータカードを第２のカードスロットに収容されたデータカードから分離するように構成される。
【０００８】
いくつかの実施形態では、カードトレイは、第１の表面に画定された固定溝をさらに含み、固定溝は摺動溝と連通しており、弾性要素は固定溝に収容され、固定溝は、カードスロットに隣接する第１の壁と、第１の壁と反対側の第２の壁とを含み、第２の壁は、固定溝の２つの端部から固定溝の中間位置に向かう方向に沿ってカードスロットから次第に離れて延びる。
【０００９】
いくつかの実施形態では、弾性要素の２つの端部は固定溝の２つの端部に固定されている。
【００１０】
いくつかの実施形態では、弾性要素は固定溝の内壁に当接することができる。
【００１１】
いくつかの実施形態では、摺動ブロックは、摺動溝内で弾性要素の長さ方向に対して垂直な方向に沿って摺動し、弾性要素は、摺動ブロックを貫通するかまたは摺動ブロックの両側面から外側に延びる。
【００１２】
いくつかの実施形態では、摺動ブロックは弾性要素の長さ方向の中間位置に位置し、摺動溝内での摺動ブロックの摺動方向はカードスロットの中間位置と位置合わせされる。
【００１３】
いくつかの実施形態では、カードホルダは、カードトレイの端部に結合されたハンドルをさらに含み、摺動溝はカードスロットとハンドルとの間に位置する。
【００１４】
いくつかの実施形態では、カードトレイは全体的に直方体形状を呈し、カードスロットは端部と端部とが結合された４つの側壁によって画定され、側壁は、第１の側壁と、第２の側壁と、第３の側壁と、第４の側壁とを含む。
【００１５】
いくつかの実施形態では、第１の側壁および第３の側壁は対向し、かつ第２の方向に沿って延び、第２の側壁および第４の側壁は対向し、かつ第１の方向に沿って延び、第２の側壁は、第１の側壁の第１の端部と第３の側壁の第１の端部とを結合する一方で、第４の側壁は、第１の側壁の第２の端部と第３の側壁の第２の端部とを結合する。
【００１６】
いくつかの実施形態では、データカードがカードスロットに収容されていない場合、摺動ブロックは第１の方向に沿って第１の深さだけカードスロットに挿入され、データカードがカードスロットに収容されている場合、摺動ブロックは第１の方向に沿って第２の深さだけカードスロットに挿入され、第１の深さは第２の深さより大きい。
【００１７】
本開示の実施形態による挿入装置は、収容空間を画定するカードソケットを含み、上述の実施形態のいずれか１つに記載のカードホルダを、収容空間に対して移動可能に挿抜することができる。
【００１８】
本開示の実施形態による端末は、上述の実施形態のいずれか１つによるカードホルダを含む。
【００１９】
上述のカードホルダ、挿入装置および端末では、弾性要素は、データカードがカードスロットに収容されている場合に摺動ブロックがデータカードに当接することができるように、変形状態において摺動ブロックを押圧することができ、したがって、データカードは、カードホルダに確実に装着されることが可能になり、かつカードホルダが裏返された場合にカードホルダから脱落することはない。
【００２０】
本開示の実施形態の追加の態様および利点は、以下の説明において部分的に提供され、以下の説明から部分的に明らかになり、または本開示の実施形態の実施から理解されるであろう。
【００２１】
本開示の実施形態のこれらの態様および他の態様ならびに利点は、図面を参照して行われる以下の説明から明らかになり、より容易に理解されるであろう。
【図面の簡単な説明】
【００２２】
【図１】本開示の一実施形態による端末の斜視図である。
【図２】本開示の一実施形態による挿入装置の斜視図である。
【図３】本開示の一実施形態によるデータカードが装着されていない状態のカードホルダの平面図である。
【図４】本開示の一実施形態によるデータカードが装着された状態のカードホルダの平面図である。
【図５】本開示の一実施形態によるカードホルダの斜視分解図である。
【図６】本開示の一実施形態によるカードホルダの別の斜視分解図である。
【発明を実施するための形態】
【００２３】
参照番号
挿入装置１００、カードソケット１０、収容空間１２、カードホルダ２０、カードトレイ２１、カードスロット２１１、上部カードスロット２１１１、下部カードスロット２１１２、摺動溝２１２、第１の側壁２１３、第２の側壁２１４、第３の側壁２１５、端部２１５２、中間部２１５４、第４の側壁２１６、上面２１７、下面２１８、固定溝２１９、第１の壁２１９１、第２の壁２１９２、仕切り板２１ａ、摺動ブロック２２、当接面２２２、弾性要素２３、ハンドル２４、端末２００、金属接点３０、データカード３００。
【００２４】
本開示の実施形態を、添付の図面を参照してさらに説明する。同一もしくは類似の要素、および同一もしくは類似の機能を有する要素は、本説明全体を通して同様の参照番号で示される。
【００２５】
さらに、図面を参照して本明細書に記載した実施形態は説明的であり、本開示の実施形態を例示することを目的とするが、本開示を限定するものであると解釈されるべきではない。
【００２６】
本開示では、別段に特定されるかまたは限定されない限り、第１の特徴が第２の特徴の「上」または「下」にある構造は、第１の特徴が第２の特徴と直接接触する実施形態を含んでもよく、また、第１の特徴および第２の特徴は互いに直接接触していないが、それらの間に形成された追加の特徴を介して接触する実施形態を含んでもよい。さらに、第２の特徴の「上」、「上方」または「上部」にある第１の特徴は、第１の特徴が第２の特徴の「真上」もしくは「斜め上」、「すぐ上方」もしくは「斜め上方」または「すぐ上部」もしくは「斜め上部」にあるか、または単に第１の特徴が第２の特徴よりも高い位置にあることを意味する実施形態を含んでもよく、その一方で、第２の特徴の「下」、「下方」または「下部」にある第１の特徴は、第１の特徴が第２の特徴の「真下」もしくは「斜め下」、「すぐ下方」もしくは「斜め下方」または「すぐ下部」もしくは「斜め下部」にあるか、または単に第１の特徴が第２の特徴よりも低い位置にあることを意味する実施形態を含んでもよい。
【００２７】
本明細書全体を通して、「ある実施形態」、「一実施形態」、「いくつかの実施形態」、「一例」、「特定の例」または「いくつかの例」とは、本実施形態もしくは例に関連して記載した特定の特徴、構造、材料もしくは特性が、本開示の少なくとも１つの実施形態もしくは例に含まれることを意味する。したがって、本明細書を通じて様々な箇所において見られる上述の句は、必ずしも本開示の同じ実施形態もしくは例を指すとは限らない。さらに、特定の特徴、構造、材料もしくは特性は、１つ以上の実施形態もしくは例において任意の適切な方法で組み合わされてもよい。また、当業者であれば、本明細書に記載した異なる実施形態もしくは例だけでなく、相互に矛盾しないことを前提として、異なる実施形態もしくは例の特徴を組み合わせることができる。
【００２８】
図１〜図４を参照して、本開示の実施形態によるカードホルダ２０は、データカード３００を装着するように構成され、かつ、カードトレイ２１と、摺動ブロック２２と、弾性要素２３とを含む。データカード３００は、ＳＩＭカード、ＴＦカード、ＳＤカードなどとすることができる。本開示の実施形態による挿入装置１００は、カードホルダ２０とカードソケット１０とを含み、カードソケット１０は収容空間１２を画定し、カードホルダ２０は、収容空間１２に対して移動可能に挿抜することができる。具体的には、カードホルダ２０をカードソケット１０から完全にもしくは部分的に引き抜くことができ、データカード３００をカードホルダ２０に装着した後、カードホルダ２０はカードソケット１０に押し込まれる。さらに、カードソケット１０は接触端子（図示せず）も含み、データカード３００がカードホルダ２０に装着されて収容空間１２に押し込まれる場合、接触端子はデータカード３００の金属接点３０と接触し、これにより、接触端子はデータカード３００からデータを読み取ることができ、またはデータカード３００にデータを書き込むことができる。
【００２９】
本開示の実施形態による端末２００は、カードホルダ２０を含む。さらに、端末２００はカードソケット１０も含む。端末２００は、データをデータカード３００から取得してデータを処理することができるか、またはデータをデータカード３００にインポートすることができる様々な装置であってもよく、例えば、端末２００は携帯電話、タブレットコンピュータ、計算装置、情報表示装置などとすることができる。
【００３０】
図５および図６を併せて参照して、カードトレイ２１は、カードスロット２１１および摺動溝２１２を画定する。カードスロット２１１はデータカード３００を収容するように構成され、カードスロット２１１は摺動溝２１２と連通している。具体的には、カードトレイ２１は全体的に直方体形状を呈し、カードスロット２１１は、端部と端部とが結合された４つの側壁によって画定され、側壁は第１の側壁２１３と、第２の側壁２１４と、第３の側壁２１５と、第４の側壁２１６とを含む。カードホルダ２０をカードソケット１０に押し込む必要がある場合、まず第３の側壁２１５を収容空間１２に挿入し、次にカードホルダ２０を第１の方向に沿ってカードソケット１０に押し込む。第１の側壁２１３および第３の側壁２１５は対向し、かつ第２の方向に沿って延び、第２の側壁２１４および第４の側壁２１６は対向し、かつ第１の方向に沿って延び、第３の側壁２１５は、カードホルダ２０が収容空間１２に挿入された場合に最も深く挿入される側壁である一方で、第１の側壁２１３は、カードホルダ２０が収容空間１２に挿入された場合に最も浅く挿入される側壁であり、第２の側壁２１４が、第１の側壁２１３の第１の端部と第３の側壁２１５の第１の端部とを結合する一方で、第４の側壁２１６は、第１の側壁２１３の第２の端部と第３の側壁２１５の第２の端部とを結合する。第１の方向とは、カードホルダ２０がカードソケット１０に挿入される方向を指し、第２の方向は第１の方向と交差し、具体的には第２の方向は第１の方向と直交する。
【００３１】
第１の側壁２１３、第２の側壁２１４、および第４の側壁２１６のそれぞれの厚さは、カードホルダ２０をカードソケット１０に容易に挿入することができるように等しくすることができる。第３の側壁２１５は、対応して第２の側壁２１４および第４の側壁２１６に結合された２つの端部２１５２と、２つの端部２１５２を結合する中間部２１５４とを含む。各端部２１５２の高さは、対応して第２の側壁２１４の高さおよび第４の側壁２１６の高さに等しく、データカード３００を固定するのに役立つように２つの端部２１５２がデータカード３００に当接するのを便利にする。中間部２１５４の高さは、接触端子が中間部２１５４からカードスロット２１１内に都合よく延びて金属接点３０と接触することができるように、各端部２１５２の高さよりも低い。さらに、中間部２１５４のカードスロット２１１から離れている側面は面取り部を画定して、接触端子を中間部２１５４からカードスロット２１１に挿入するのを容易にする。
【００３２】
図３および図４を併せて参照して、摺動ブロック２２は、データカード３００がカードスロット２１１に収容された場合に、摺動溝２１２に沿って摺動し、かつデータカード３００に当接することができる。具体的には、摺動溝２１２は第１の方向に沿って延びており、摺動ブロック２２は、第１の方向に沿って摺動溝２１２内を摺動することができる。摺動ブロック２２は当接面２２２を含み、かつ当接面２２２によってデータカード３００に当接する。データカード３００がカードスロット２１１に収容されていない場合、摺動ブロック２２は第１の方向に沿って第１の深さＤ１だけカードスロット２１１に挿入され、データカード３００がカードスロット２１１に収容されている場合、摺動ブロック２２は第１の方向に沿って第２の深さＤ２だけカードスロット２１１に挿入され、第１の深さＤ１は第２の深さＤ２より大きい。確かに、第２の深さＤ２は、異なるデータカード３００の異なる大きさに応じて変化してもよい。さらに、当接面２２２は、データカード３００に対応する位置に制限溝（図示せず）を画定し、データカード３００が装着される場合に、データカード３００の第１の側面は制限溝と位置合わせされ、データカード３００は、制限溝がデータカード３００の位置をさらに制限するようにカードスロット２１１に設置され、それによって、データカード３００の当接面２２２上での滑りを回避する。
【００３３】
弾性要素２３は摺動ブロック２２に結合され、かつ変形状態において摺動ブロック２２を押圧するように構成され、これにより、摺動ブロック２２はデータカード３００に当接する。具体的には、弾性要素２３および摺動ブロック２２は一体的に形成されるかまたは別々に形成されてもよく、弾性要素２３および摺動ブロック２２のそれぞれの材料は一貫性があってもよいし一貫性がなくてもよく、弾性要素２３を摺動ブロック２２に固定して結合するかまたは移動可能に結合することができる。弾性要素２３は自然状態と変形状態との間で変形することができ、カードスロット２１１がデータカード３００を収容していない場合、弾性要素２３は自然状態にあり、かつ摺動ブロック２２を押圧しないため、摺動ブロック２２は第１の方向に沿って第１の深さＤ１だけカードスロット２１１に挿入されることが理解され得る。データカード３００をカードスロット２１１に装着する必要がある場合、データカード３００の第１の側面は当接面２２２に当接し、かつ摺動ブロック２２に摺動溝２１２内で摺動して第２の深さＤ２に到達するように促し、これにより、摺動ブロック２２は第１の方向に沿ってカードスロット２１１に挿入され、データカード３００の第２の側面は、データカード３００がカードスロット２１１に収容されるように第３の側壁２１５の２つの端部２１５２に当接し、弾性要素２３は変形状態にあり、かつ摺動ブロック２２を第１の方向に沿って押圧し、データカード３００は、摺動ブロック２２と端部２１５２との当接作用によってカードスロット２１１に確実に装着される。
【００３４】
上述のカードホルダ２０、挿入装置１００および端末２００では、弾性要素２３は、データカード３００がカードスロット２１１に収容されている場合に摺動ブロック２２がデータカード３００に当接することができるように、変形状態において摺動ブロック２２を押圧することができ、したがって、データカード３００は、カードホルダ２０に確実に装着されることが可能になり、かつカードホルダ２０が裏返された場合にカードホルダ２０から脱落することはない。
【００３５】
カードトレイ２１は、（第１の表面の一例としての）上面２１７と、（第２の表面の一例としての）下面２１８とをさらに含み、下面２１８は上面２１７と対向している。具体的には、上面２１７を下面２１８と平行にして、カードホルダ２０をカードソケット１０に容易に押し込むことができる。カードホルダ２０をカードソケット１０に装着する必要がある場合、カードホルダ２０は通常、上面２１７が上向きになり、かつ下面２１８が下向きになった状態まで回転し、次いで、カードホルダ２０はカードソケット１０にさらに押し込まれる。
【００３６】
いくつかの実施形態では、１つのカードスロット２１１が設けられる。カードスロット２１１および摺動溝２１２はそれぞれ上面２１７に画定され、上面２１７が上向きになった場合にデータカード３００が落下しない一方で、データカード３００をカードスロット２１１に容易に装着することができ、摺動ブロック２２の状態を容易に観察することができ、そして摺動ブロック２２を容易に組み立てたり分解したりすることができるように、カードスロット２１１および摺動溝２１２のいずれも下面２１８を貫通しない。
【００３７】
いくつかの実施形態では、２つのカードスロット２１１が提供され、２つのカードスロット２１１は、（第１のカードスロットの一例としての）上部カードスロット２１１１と（第２のカードスロットの一例としての）下部カードスロット２１１２とを含み、上部カードスロット２１１１が上面２１７に画定される一方で、下部カードスロット２１１２は下面２１８に画定される。摺動溝２１２は上面２１７に画定され、摺動溝２１２は上部カードスロット２１１１を経て下部カードスロット２１１２に深さ方向に部分的に貫入し、データカード３００が上部カードスロット２１１１に収容されている場合、またはデータカード３００が第２のカードスロット２１１２に収容されている場合、またはデータカード３００が第１のカードスロット２１１１および第２のカードスロット２１１２の各々に収容されている場合に、摺動ブロック２２はデータカード３００に当接することができる。その結果、カードホルダ２０は、２枚のデータカード３００を同時に収容することができ、端末２００の機能を拡張し、カードホルダ２０の構造を小型化する。具体的には、具体的な使用要件に応じて、データカード３００を上部カードスロット２１１１および下部カードスロット２１１２の各々に装着することができ、または、データカード３００を下部カードスロット２１１２の代わりに上部カードスロット２１１１に装着することができ、あるいは、データカード３００を上部カードスロット２１１１の代わりに下部カードスロット２１１２に装着することができる。上部カードスロット２１１１の位置は下部カードスロット２１１２の位置に対応することができ、上部カードスロット２１１１および下部カードスロット２１１２の開口深さは同じであっても異なっていてもよい。摺動溝２１２は、上部カードスロット２１１１を経て下部カードスロット２１１２に深さ方向に部分的に貫入し、すなわち、摺動溝２１２は、上面２１７および上部カードスロット２１１１の底部を通って下部カードスロット２１１２に部分的に貫入し、摺動溝２１２は下面２１８から離間している。
【００３８】
したがって、いくつかの実施形態では、カードトレイ２１は仕切り板２１ａをさらに含み、仕切り板２１ａは、上部カードスロット２１１１と下部カードスロット２１１２との間に配置され、かつ上部カードスロット２１１１に収容されたデータカード３００を下部カードスロット２１１２に収容されたデータカード３００から分離するように構成される。このように、一方のデータカード３００が装着されたり取り外されたりした場合に他方のデータカード３００が影響を受けないように、仕切り板２１ａは２枚のデータカード３００を分離することができる。さらに、仕切り板２１ａは、データカード３００を保持することができ、かつデータカード３００が上面２１７および下面２１８に対して垂直な方向に落下するのを防止することができる。具体的には、２つの仕切り板２１ａが設けられ、かつ対応して第２の側壁２１４および第４の側壁２１６からカードスロット２１１内に延びる。
【００３９】
いくつかの実施形態では、カードトレイ２１は固定溝２１９をさらに含み、固定溝２１９は上面２１７に画定され、かつ摺動溝２１２と連通し、弾性要素２３は固定溝２１９に収容される。固定溝２１９は、カードスロット２１１に隣接する第１の壁２１９１と、第１の壁２１９１と反対側の第２の壁２１９２とを含み、第２の壁２１９２は、固定溝２１９の２つの端部から固定溝２１９の中間位置に向かう方向に沿ってカードスロット２１１から次第に離れて延びる。
【００４０】
したがって、弾性要素２３の状態を容易に観察することができ、弾性要素２３を容易に組み立てたり分解したりすることができる。その一方で、第２の壁２１９２は、固定溝２１９の２つの端部から固定溝２１９の中間位置に向かう方向に沿ってカードスロット２１１から次第に離れて延びており、すなわち、固定溝２１９の幅は、固定溝２１９の２つの端部から固定溝２１９の中間位置に向かう方向に次第に増大する。その結果、弾性要素２３が変形した場合、弾性要素２３と第２の壁２１９２との間の摩擦が減少し、それによって弾性要素２３の耐用年数が延びる。具体的には、固定溝２１９は全体的に第２の方向に沿って延び、第１の壁２１９１は第２の方向に沿って延びる。一実施形態では、弾性要素２３の２つの端部は、具体的には接着剤によって固定溝２１９の２つの端部に固定される。別の実施形態では、弾性要素２３は固定溝２１９の内壁に当接することができ、弾性要素２３が変形した場合、弾性要素２３は固定溝２１９の内壁に当接し、かつ固定溝２１９がもたらす摩擦力によって固定溝２１９に固定される。
【００４１】
いくつかの実施形態では、摺動ブロック２２は、摺動溝２１２内で弾性要素２３の長さ方向に対して垂直な方向に沿って摺動し、弾性要素２３は摺動ブロック２２を貫通するか、または弾性要素２３は摺動ブロック２２の両側面から外側に延びる。したがって、弾性要素２３は、変形時に比較的大きな押圧作用を摺動ブロック２２に与える。具体的には、弾性要素２３が摺動ブロック２２を貫通する場合、弾性要素２３および摺動ブロック２２が緊密に嵌合されるように、弾性要素２３および摺動ブロック２２は締まり嵌め状態となる。弾性要素２３の形状は、円柱状または螺旋状とすることができる。
【００４２】
いくつかの実施形態では、摺動ブロック２２は弾性要素２３の長さ方向の中間位置に位置し、摺動溝２１２内での摺動ブロック２２の摺動方向はカードスロット２１１の中間位置と位置合わせされる。したがって、摺動ブロック２２の両側面は、弾性要素２３から比較的均衡のとれた押圧を受け、それによって、摺動ブロック２２が不均衡な応力によって摺動溝２１２から外れることを防止し、摺動ブロック２２の摺動方向は、カードスロット２１１の中間位置と位置合わせされ、それによって、摺動ブロック２２に当接した場合にデータカード３００がカードスロット２１１から抜け出すことを防止する。
【００４３】
いくつかの実施形態では、カードホルダ２０はハンドル２４をさらに含み、ハンドル２４はカードトレイ２１の端部に結合され、摺動溝２１２はカードスロット２１１とハンドル２４との間に位置する。具体的には、ハンドル２４はカードスロット２１１の第１の側壁２１３に結合され、ハンドル２４は、ユーザがハンドル２４を押すことによってカードトレイ２１を収容空間１２に押し込むように、カードトレイ２１に対して略垂直である一方で、ハンドル２４をカードソケット１０の外側に固定して、カードホルダ２０全体が収容空間１２に挿入されることを防止することができるが、普通なら、カードホルダ２０を収容空間１２から取り出すことが困難になる。
【００４４】
本明細書全体を通して、「ある実施形態」、「一実施形態」、「いくつかの実施形態」、「一例」、「特定の例」または「いくつかの例」とは、本実施形態もしくは例に関連して記載した特定の特徴、構造、材料もしくは特性が、本開示の少なくとも１つの実施形態もしくは例に含まれることを意味する。したがって、本明細書を通じて様々な箇所において見られる上述の句は、必ずしも本開示の同じ実施形態もしくは例を指すとは限らない。さらに、特定の特徴、構造、材料もしくは特性は、１つ以上の実施形態もしくは例において任意の適切な方法で組み合わされてもよい。
【００４５】
さらに、「第１」および「第２」などの用語は、本明細書では説明の目的で使用されており、相対的な重要性もしくは有意性を示すかまたは暗示するものではなく、または示された技術的特徴の数を暗示するものではない。したがって、「第１」および「第２」で定義された特徴は、この特徴のうちの１つ以上を含んでもよい。本発明の説明において、「複数」とは、特に断りのない限り２つまたは３つ以上を意味する。
【００４６】
本開示の実施形態を例示して説明してきたが、当業者であれば、本実施形態は説明的であり、かつ本開示を限定するものと解釈することはできず、変更、修正、代替例および変形例は、本開示の範囲から逸脱することなく本実施形態において実施可能であることを理解するだろう。本開示の範囲は特許請求の範囲等によって規定される。
【図１】
2020505682.tif 000003
【図２】
2020505682.tif 000004
【図３】
2020505682.tif 000005
【図４】
2020505682.tif 000006
【図５】
2020505682.tif 000007
【図６】
2020505682.tif 000008
【国際調査報告】
2020505682.tif 000009
2020505682.tif 000010
2020505682.tif 000011